(57)【要約】  本発明は、各端部において接続ピンに接続されるピン安全回路を有するソリッドステート（例えば、LED）管状照明デバイスを提供する。ドライバ回路は、前記ピン安全回路の出力に接続される。前記ピン安全回路は、各々、前記接続ピン間の電圧に応じて閉じたスイッチを形成するよう適合されるトライアックスイッチを有する。これは、少なくともラピッドスタート形EM安定器に適したピン安全対策を提供する。
2019511102.tif 000002
【特許請求の範囲】
【請求項１】
細長い軸、並びに各端部が２つの突出電気接続ピンを含む反対側の第１及び第２端部を有する管状ハウジングと、
前記第１端部の前記接続ピンに電気的に接続され、第１電力供給出力端子を有する第１ピン安全回路と、
前記第２端部の前記接続ピンに電気的に接続され、第２電力供給出力端子を有する第２ピン安全回路と、
ソリッドステート照明装置と、
前記第１及び第２ピン安全回路からの電力を受け取るために前記第１及び第２電力供給出力端子に接続される、前記ソリッドステート照明装置を駆動するための照明ドライバ回路とを有する管状照明デバイスであって、
前記ピン安全回路が、各々、入力端子、出力端子及びゲート端子を有するトライアックスイッチを含み、前記入力端子が、前記接続ピンのうちの一方に接続され、前記ゲート端子が、前記接続ピンのうちの他方に接続され、前記出力端子が、関連する電力供給出力端子に接続され、前記トライアックが、前記入力端子と前記ゲート端子との間の電圧に応じて閉じたスイッチを形成するよう適合される管状照明デバイス。
【請求項２】
各ピン安全回路の前記トライアックの前記ゲート端子が、抵抗器を介して関連する接続ピンに接続される請求項１に記載のデバイス。
【請求項３】
各ピン安全回路が、前記トライアックの前記入力端子と前記ゲート端子との間にコンデンサ及び／又は抵抗器を更に有する請求項１乃至２のいずれか一項に記載のデバイス。
【請求項４】
前記照明ドライバ回路が、整流器を更に有し、前記整流器が、入力及び出力を有し、前記入力が、前記第１ピン安全回路及び前記第２ピン安全回路のうちの少なくとも１つに接続され、前記出力が、スイッチモード電力コンバータに接続される請求項１乃至３のいずれか一項に記載のデバイス。
【請求項５】
前記照明ドライバ回路が、EMIフィルタを更に有する請求項１乃至４のいずれか一項に記載のデバイス。
【請求項６】
各ピン安全回路の前記トライアックが、四象限トライアックを有する請求項１乃至５のいずれか一項に記載のデバイス。
【請求項７】
前記第１ピン安全回路が、入力端子、出力端子及びゲート端子を有する追加のトライアックスイッチを更に含み、前記入力端子が、前記接続ピンのうちの一方に接続され、前記ゲート端子が、前記第１トライアックスイッチの前記ゲート端子に接続され、前記出力端子が、他の関連する電力供給出力端子に接続され、前記トライアックが、前記入力端子と前記ゲート端子との間の電圧に応じて閉じたスイッチを形成するよう適合される請求項１乃至６のいずれか一項に記載のデバイス。
【請求項８】
前記照明ドライバ回路が、他の整流器を有する請求項７に記載のデバイス。
【請求項９】
前記抵抗器が、ヒュージスタを有する請求項８に記載のデバイス。
【請求項１０】
前記抵抗器が、PTC抵抗器を有する請求項８に記載のデバイス。
【請求項１１】
前記ソリッドステート照明装置が、LED装置を有し、前記照明ドライバ回路が、LEDドライバを有する請求項１乃至１０のいずれか一項に記載のデバイス。
【請求項１２】
蛍光灯電子安定器、蛍光灯電磁安定器、又は安定器を備えない照明器具と、
前記蛍光灯安定器に取り付けられる請求項１乃至６のいずれか一項に記載のデバイスとを有する照明器具。
【請求項１３】
前記蛍光灯安定器が、フィラメント加熱を備える電子安定器を有する請求項１２に記載の照明器具。
【発明の詳細な説明】
【技術分野】
【０００１】
本発明は、管状照明取り付け具に関し、とりわけ、このような取り付け具において受けられる管状照明デバイスに関する。
【背景技術】
【０００２】
ソリッドステート照明（SSL）は、多くの照明用途において急速に標準になりつつある。これは、発光ダイオード（LED）などのSSL要素が、制御可能な光出力色、強度、ビーム広がり及び／又は照明方向を可能にするだけでなく、優れた寿命及びエネルギ消費を示すこともできるからである。
【０００３】
管状照明デバイスは、オフィス照明用、小売り環境用、廊下内、ホテル内などの商業的照明用途において広く用いられている。従来の管状照明取り付け具は、管状照明の各端部にある接続ピンに機械的及び電気的な接続をするためのソケットコネクタを各端部に有する。従来の管状照明は、蛍光灯の形をしている。蛍光灯のための電子安定器を備えている照明器具の大規模な設置基盤がある。安定器回路は、蛍光灯の外部にあり、安定器（インダクタ）と、スタータ回路とを有する。安定器、スタータ回路及び接続ピンの２つのピンは、閉回路を形成する。従来の蛍光管においては、各対の接続ピン間の加熱フィラメントが回路を完成させる。
【０００４】
現在、従来の蛍光灯の直接的な代替品として用いられ得る管状LED（「TLED」）ソリッドステートランプが存在する。このやり方では、既存の照明取り付け具を変更するという代償なしに、ソリッドステート照明の利点が得られ得る。
【０００５】
図１は、（一方しか示されていない）各端部に端部キャップ１４を有する管状ハウジング１２を含む基本的な既知の管状ソリッドステートランプ１０を示している。端部キャップ１４は、管状ハウジング１２の細長い軸（elongate axis）１５と平行に、端部キャップ１４の中心軸から両側にずれた２つのピンの形態の外部コネクタ１６を担持する。端部キャップ１４は、内蔵ドライバ基板、及びソリッドステート照明要素、例えばLEDを管状ハウジング１２内に取り付ける回路基板に電気的に接続する。
【０００６】
図２Ａは、標準的な蛍光灯照明器具の基本回路を示している。それは、グロースタータ１７、安定器１８及びAC電源１９を有する。管１０の各端部にある対の接触ピンをブリッジするフィラメント線と一緒に、閉回路が形成される。図２Ａにおいて示されているような基本的な電磁（EM）安定器は、電源周波数において動作し得るのに対して、電子安定器は、20kHzなどの高い周波数で動作する電子部品を有する。
【０００７】
図２Ａは、蛍光灯のための管の非接続端部に触れることがどのように安全であるかを示している。ランプの両側の接続ピンは、ランプのガラス管及びその内部のガスによって、互いに電気的に絶縁されていることから、従来の蛍光灯は、如何なる危険もなしに、このような生きている電源器具（live mains fixture）に挿入され得る。ランプの２つの端部の間の電気的接触は、その内部のガスが点火（ignite）されている場合にのみ確立され、それは、ランプの両端部が照明器具に挿入された後にのみ可能である。
【０００８】
ランプを照明器具から取り出すと、ランプを流れる電流とランプ内のガス放電との両方が直ちに停止され、従って、ランプの両端部間の電気絶縁が直ちに再確立される。
【０００９】
しかしながら、TLEDランプを照明器具に挿入することは潜在的に危険である。なぜなら、ランプの他方の端部が、既に挿入されており、危険な電圧に接触しているときに、ランプの一方の端部の接続ピンに触れることが可能であるからである。
【００１０】
典型的なTLEDレトロフィットランプは、TLEDの両端部の接続ピンの間の電気絶縁をほとんど提供しないLED PCB及びLEDドライバPCBを含む。それ故、管の２つの端部の間に導電路が存在することから、このようなTLEDを生きている電源器具に挿入することは危険であり得る。
【００１１】
この安全性の問題を解決するために、様々なピン安全対策が提案されている。これらのピン安全対策は、通常、照明器具にTLEDの両端部が挿入されているときにしか閉じられない少なくとも１つのスイッチによって、TLEDの両端部の間の電気的接続を遮断する。
【００１２】
電気的なピン安全機構と機械的なピン安全機構との両方が知られている。
【００１３】
或る既知の電気的なピン安全対策においては、電力は、管の第１の側からしか取り込まれず、他方の側は、第１の側から絶縁され、他方の側の２つのピン接続の間の短絡として構成される。グロースタータ１７（図２Ａ）は、電流のループが閉じられるように、ブリッジワイヤ（bridging wire）又はヒューズを内部に備えるダミースタータに置き換えなければならない。
【００１４】
この方法は、スタータを含む照明器具と一緒にしか機能しないことから、限界があり、これらの器具は、一般にEM安定器を用いるので、電磁（EM）器具として知られているだろう（図２Ａ）。ラピッドスタータ器具（図２Ｂ及び図２Ｃ）の場合、回路内にスタータがなく、それ故、ダミースタータの方法は機能しない。ラピッドスタータ器具及び幾つかの他のタイプの安定器のためには、他のピン安全対策が必要とされる。地域が異なれば、好ましい安定器のタイプは異なるが、地域における他のタイプの安定器の使用は可能である。例えば、北米地域は、ラピッドスタート形安定器を備えるT12ランプを支持している。
【００１５】
例えば、幾つかの他の電気的なピン安全対策においては、TLEDの両端部が照明器具内のランプホルダに挿入されるときに、電磁リレーが閉じられる。照明器具へのTLEDの挿入が検出され、電子安定器から生じる電流及び電圧を用いて電磁リレーが閉じられる。リレーピンの安全対策の利点は、それが、誰でも扱えると共に、通常のランプの外観及び雰囲気を維持することである。
【００１６】
電気的なピン安全機構に関する問題は、多くの異なるタイプの電子安定器との適合性、並びに電磁リレーのコスト及び信頼性である。
【００１７】
機械的なピン安全対策においては、TLEDの各端部において、ボタンを押すときにスイッチが閉じられる。TLEDを照明器具に挿入するときにランプホルダがボタンを押すだろう、又は前記ボタンは、手動で押される必要がある。これは、全てのタイプの安定器ために用いられ得るが、それは、TLEDが取り付けられる方法を変え、これは、ボタンの設計並びに照明器具及びソケットの設計に依存することから、それは、全ての異なる照明器具及びソケットの機械設計には適合しないおそれがある。
【００１８】
上述のように、幾つかの電気的な安全対策は、或る特定のタイプの安定器にしか適さないおそれがある。例えば、（ラピッドスタート形電子安定器を含む）高周波（HF）電子安定器及びラピッドスタート形低周波（EM）安定器の場合は、ランプの一方の端部のみにドライバを設けることは可能ではない場合がある。とりわけ、回路を閉じるようダミースタータを配置する方法がない。一方の端部における短絡は、ピン間の加熱電圧も短絡するだろう。
【００１９】
図２Ｂは、ラピッドスタート形シングルランプを示しており、図２Ｃは、ラピッドスタート形デュアルランプを示している。ランプは、例えば、T12ランプ（標準的な直径38mmの管）である。
【００２０】
ラピッドスタート構成の安定器は、電源電圧を、ランプを駆動するのに適した電圧に変換する単巻変圧器２０をベースにしている。更に、その内部インピーダンスが、ランプ電流を調整する。安定器は、蛍光灯のフィラメントを加熱するための電流を供給する加熱巻線を持ち、従って、ランプ始動電圧を低下させ、ランプ寿命を延ばす。安定器は、通常、内蔵力率補償コンデンサ２２も有する。ラピッドスタート形器具において必要とされるスタータ１７はなく、このことは、ラピッドスタート形EM安定器には、上で説明した、グロースタータがダミースタータに置き換えられるピン安全対策は適用されることができず、新しいピン安全対策が必要とされることを意味する。
【００２１】
US 8917020は、（北米で一般に用いられている）ラピッドスタート形EM安定器のために設計されたリレーピン安全対策を開示している。
【００２２】
図３は、全体的構成を示している。LED基板３０は、各端部においてドライバPCB３２、３４に接続される。ドライバPCB３２は、リレー３２ａと、ドライバ回路３２ｂとを有し、ドライバPCB３４は、リレー３４ａと、ドライバ回路３４ｂとを有する。
【００２３】
リレー接点が、ピンの安全性を提供する。（安定器からの）フィラメント加熱電圧が、整流器３２ｃ、３４ｃによって直流電圧に変換され、リレー接点を作動させる。リレーは、ランプが器具に完全に挿入されるまで、開いたままである。それ故、反対側が、ランプホルダに挿入され、通電されているときにピンに触れても安全である。ランプにおいて用いられるリレーが、各端部に１つ、即ち、２つある。
【００２４】
この解決策は、うまく機能するが、不利な点は、２つのリレーが必要とされ、このことが追加コストを生じさせることである。他の厄介な問題は、フィラメント加熱電圧において、安定器のタイプ及び電源電圧の変動に応じた或る程度の変動があることである。従って、最も単純な選択肢の整流器は、リレー接点がしっかりと閉じられることを確実にする安定した電圧を保証することはできない。
【００２５】
別の設計は、WO2013/150417において開示されているようにリレー及びオプトカプラを利用する。図４が、構成を示している。
【００２６】
各端部は、整流器４０、４２に結合される。単一のリレー４４が必要とされ、オプトカプラ４６が２つの端部を接続する。左側端部における加熱電圧は、例えばブーストコンバータ４７によってリレーコイル４４を駆動するのに適した電圧に変換される。右側端部からの加熱電圧は、オプトカプラの一次側に電圧を印加し、オプトカプラの出力が、リレーコイル電圧をイネーブルにし、故に、リレー接点が閉じる。このような回路では、電源電流は、ランプの両側が照明器具に完全に挿入されているときにしか（ドライバ回路４８の制御下で）流れることができない。ランプの片側しか挿入されていない場合には、リレーコイルは、電圧を受けず、開接点が、ピンの安全性を提供する。
【００２７】
付加的な電力コンバータ４７が、リレーコイル電圧を安定化させ、従って、リレーの信頼性の高い動作を提供する。この構成は、依然として、リレー及び関連する制御回路を必要とする。
【００２８】
従って、既存の解決策は、リレー構成要素のために高価であり、且つサイズが大きい。更に、リレーは、可動部、及びアーク放電による接触面の損傷のために、限られたスイッチング寿命を持つ。リレーを制御するために必要とされる回路も複雑である。
【発明の概要】
【発明が解決しようとする課題】
【００２９】
それ故、低コストで信頼性の高い回路で実施されることができ、とりわけ、電極加熱（即ち、ラピッドスタート）回路を備える既存の安定器に対して機能することができる、TLEDを照明器具に取り付けるときの保護を提供するための改良されたシステムが必要とされている。
【課題を解決するための手段】
【００３０】
本発明は、請求項によって規定される。
【００３１】
本発明の或る態様によれば、
細長い軸、並びに各端部が２つの突出電気接続ピンを含む反対側の第１及び第２端部を有する管状ハウジングと、
前記第１端部の前記接続ピンに電気的に接続され、第１電力供給出力端子を有する第１ピン安全回路と、
前記第２端部の前記接続ピンに電気的に接続され、第２電力供給出力端子を有する第２ピン安全回路と、
ソリッドステート照明装置と、
前記第１及び第２ピン安全回路からの電力を受け取るために前記第１及び第２電力供給出力端子に接続される照明ドライバ回路とを有する管状照明デバイスであって、
前記ピン安全回路が、各々、入力端子、出力端子及びゲート端子を有するトライアックスイッチを含み、前記入力端子が、前記接続ピンのうちの一方に接続され、前記ゲート端子が、前記接続ピンのうちの他方に接続され、前記出力端子が、関連する電力供給出力端子に接続され、前記トライアックが、前記入力端子と前記ゲート端子との間の電圧に応じて閉じたスイッチを形成するよう適合される管状照明デバイスが提供される。
【００３２】
この構成においては、管状LEDランプの各端部にピン安全回路が設けられる。それらは、TRIAC回路をベースにしており、それ故、低コストであり、小さな体積で実施され得る。各トライアックの動作は、端部コネクタの前記ピン間の電圧によってゲート制御される。この電圧は、前記安定器によって生成される加熱電圧であり、例えば3.6Vrmsの信号である。従って、前記デバイスは、ラピッドスタート形電磁（電源周波数）安定器の形態、又はフィラメント加熱を備える電子（高周波）安定器の形態の蛍光灯安定器と共に用いるのに適している。
【００３３】
各ピン安全回路の前記トライアックの前記ゲート端子は、好ましくは、抵抗器を介して前記接続ピンに接続される。これは、前記加熱電圧の、前記トライアックの動作のゲート制御を制御するためのゲート電流への変換を供給する。
【００３４】
各ピン安全回路は、前記トライアックの前記入力端子と前記ゲート端子との間にコンデンサ及び／又は抵抗器を更に含み得る。これは、前記トライアックの意図せぬトリガの発生を防止するために用いられ得る。
【００３５】
照明ドライバ回路は、例えば、整流器と、スイッチモード電力コンバータ、例えば、バックコンバータとを有する。前記照明ドライバ回路は、EMIフィルタを更に含み得る。
【００３６】
各ピン安全回路の前記トライアックは、好ましくは、四象限トライアックを有する。これは、前記ランプが照明器具に接続される回転配向に関係なく、正常動作を可能にする。
【００３７】
本発明の他の態様によれば、
細長い軸、並びに各端部が２つの突出電気接続ピンを含む反対側の第１及び第２端部を有する管状ハウジングと、
前記第１端部の前記接続ピンに電気的に接続され、第１電力供給出力端子を有する第１ピン安全回路と、
前記第２端部の前記接続ピンに電気的に接続され、第２電力供給出力端子を有する第２ピン安全回路と、
ソリッドステート照明装置と、
前記第１及び第２ピン安全回路からの電力を受け取るために前記第１及び第２電力供給出力端子に接続される照明ドライバ回路とを有する管状照明デバイスであって、
前記第１ピン安全回路が、入力端子、出力端子及びゲート端子を有する追加のトライアックスイッチを含み、前記入力端子が、前記接続ピンのうちの一方に接続され、前記ゲート端子が、前記第１トライアックスイッチの前記ゲート端子に接続され、前記出力端子が、他の関連する電力供給出力端子に接続され、前記トライアックが、前記入力端子と前記ゲート端子との間の電圧に応じて閉じたスイッチを形成するよう適合される管状照明デバイスが提供される。
【００３８】
前記ソリッドステート照明装置は、好ましくは、LED装置である。
【００３９】
本発明は、
蛍光灯電子安定器、蛍光灯電磁安定器、又は安定器を備えない照明器具と、
前記蛍光灯安定器に取り付けられる、上で規定したようなデバイスとを有する照明器具も提供する。
【図面の簡単な説明】
【００４０】
ここで、添付図面を参照して、本発明の例を詳細に説明する。
【図１】基本的な既知の管状LEDランプを示す。
【図２Ａ】電磁安定器の例を示す。
【図２Ｂ】電磁安定器の例を示す。
【図２Ｃ】電磁安定器の例を示す。
【図３】第１の既知のピン安全装置を示す。
【図４】第２の既知のピン安全装置を示す。
【図５】一般的な形態で、ピン安全装置を含む管状照明デバイスを示す。
【図６】図５の装置のより詳細な実施の或る例を示す。
【図７】図５のデバイスにおいて用いられ得る四象限トライアックの動作を示す。
【図８】図５の装置のより詳細な実施の他の例を示す。
【図９】電源に直に接続される管状照明デバイスを示す。
【図１０】電磁安定器に接続される管状照明デバイスを示す。
【発明を実施するための形態】
【００４１】
本発明は、各端部において接続ピンに接続されるピン安全回路を有するソリッドステート（例えば、LED）管状照明デバイスを提供する。ドライバ回路は、ピン安全回路の出力に接続される。ピン安全回路は、各々、接続ピン間の電圧に応じて閉じたスイッチを形成するよう適合されるトライアックスイッチを有する。これは、ラピッドスタート形EM安定器及び電極加熱を備える電子安定器に適したピン安全対策を提供する。
【００４２】
図５は、一般的な形態で、ピン安全装置を含む管状照明デバイスを示している。前記デバイスは、（図１において示されているような）細長い軸と、反対側の第１及び第２端部とを持つ管状ハウジング１２を有する。各端部は、２つの突出電気接続ピン１６を有する。
【００４３】
第１ピン安全回路５０は、第１端部の接続ピンに電気的に接続され、LEDドライバ回路５８に電力を供給するために用いられる第１電力供給出力端子５０ａを有する。
【００４４】
第２ピン安全回路５４は、第２端部の接続ピンに電気的に接続され、第２電力供給出力端子５４ａを有する。
【００４５】
LED装置６０は、LEDドライバ回路５８によって駆動される。前記装置は、他のソリッドステート照明技術に適用され得る。
【００４６】
ピン安全回路は、各々、（ピン１及びピン３に接続されて示されている）入力端子、出力端子及び（ピン２及びピン４に接続されて示されている）ゲート端子を持つトライアックスイッチ５１、５５を有する。従って、入力端子は、接続ピンのうちの一方に接続され、ゲート端子は、接続ピンのうちの他方に接続される。出力端子は、各々の電力供給出力端子５０ａ、５４ａに接続される。
【００４７】
トライアックは、ゲートに印加される信号の制御下で閉じたスイッチを形成する。とりわけ、入力端子とゲート端子との間の電圧が、ゲート電流を生成させることによってトライアックをトリガして閉じさせる。
【００４８】
各ピン安全回路のトライアック５１、５５のゲート端子は、抵抗器５２、５６を介して接続ピンに接続される。
【００４９】
トライアックの動作をゲート制御するために用いられるピン間の電圧は、安定器によって生成される加熱電圧であり、例えば3.6Vrmsの信号である。従って、前記デバイスは、ラピッドスタート形電磁安定器の形態、又はフィラメント加熱を備える高周波安定器の形態の蛍光灯安定器と共に用いるのに適している。
【００５０】
ラピッドスタート形EM安定器は、絶えず、この3.6VrmsのAC加熱電圧をランプに供給する。プログラムスタート型バラスト（programmed start type ballast）のようなより高度な電子安定器は、予熱段階の間と定常状態段階の間とで異なる加熱電力を供給する。幾つかの安定器はまた、定常状態においては、エネルギを節約するために加熱をオフにする。
【００５１】
図６は、前記回路の詳細な実施例を示している。
【００５２】
ピン安全回路は、図５において示されている構成要素に加えて、各々、オプションのコンデンサ及び／又は抵抗器６２、６３を含む。コンデンサ及び／又は抵抗器６２、６３は、トライアックの意図せぬトリガの発生を防止するために用いられる。
【００５３】
ランプが通電されるときには、２つのピンの間のフィラメント加熱電圧が、電流を、抵抗器５２、５６を介してトライアックのゲートに流れ込ませる。選択される抵抗は、トライアックのゲートの感度に関連する。より感度が高いゲートは、より低い電流を必要とし、従って、より高いオーム抵抗器が用いられ得る（これはエネルギを節約する）。例えば、3mAタイプの高感度ゲートの場合は、２００オームの抵抗器が選択され得る。
【００５４】
EM（電源周波数）安定器の場合には、トライアックは、ゼロ交差において導通を停止することから、電源半周期ごとに、トライアック本体電流（TRIAC body current）が保持電流よりも低下するときに、トリガされる必要がある。
【００５５】
基本的な低周波EMラピッドスタート形安定器の場合のように加熱電圧が絶えず印加される場合には、トライアックは実際に半周期ごとにトリガされる。
【００５６】
電子（高周波）安定器の場合には、トライアックは、一般に、（例えば20kHzより高い）高周波電流のゼロ交差においては導通を停止しないことから、トリガされたら、導通し続ける。これは、エネルギを節約するためにより高い抵抗を用いることを可能にする。その結果、加熱電圧が始動中にしか印加されないプログラムスタート型安定器の場合は、トライアックは、定常状態において加熱電圧がオフにされるときでも、依然として、導通状態に維持され得る。ラピッドスタート形EM安定器と同じように、定常状態において、絶えず、一定の加熱電圧を印加する電子安定器設計もあれば、予熱段階中にしか加熱を加えず、その後は、オフにする又はより低い加熱電流に切り替える電子安定器設計もある。
【００５７】
図６は、照明デバイスが、AC入力をDCに変換するダイオード整流器（Ｄ１乃至Ｄ４）を更に有することを示している。DC電圧をLED装置６０を駆動するのに適した電流に変換するために、電力段６４及びコントローラ６５も設けられている。電力段６４は、例えば、バックコンバータのようなスイッチモードコンバータである。前記回路は、EMIフィルタ６６も含む。
【００５８】
フィラメント電圧とランプ電圧との間の位相関係は不定であることから、四象限トライアックが好ましい。位相シフトは、補償コンデンサに依存し、ラピッドスタート形安定器の漏れインダクタンスにも依存する。位相シフトは、ランプが、どのように、照明器具に接続され、それ故、安定器に接続されるかにも依存する。２つのピンへの接続が入れ替えられる場合には、これは、１８０度の位相シフトをもたらす。
【００５９】
四象限トライアックは、図７において示されているような四象限のいずれかにおいてトリガされ得る。各象限は、（端子１に印加される）入力電圧に対する出力（端子２、Ｔ２）及びゲート（Ｇ）の電圧極性の異なる組み合わせのためのものである。
【００６０】
トライアックは、常に、導通するように１８０度近くの導通角を達成することが望ましい。しかしながら、実際には、ゼロ交差後にトライアックをトリガするために短時間の遅延が必要とされる。最悪の状況は、フィラメント電圧がランプ電圧と同相である状況である。正弦波フィラメント電圧は、必要とされるトリガゲート電流、例えば3mAに到達するためにゼロから或る特定の値まで上昇しなければならないことから、ランプ電流には小さな位相カットが存在するだろう。
【００６１】
上記の管状照明デバイスは、特に、ラピッドスタート形EM安定器又は電極加熱を備える電子安定器のような電極加熱を供給する安定器と共に用いるためのものである。
【００６２】
図８は、図５の装置のより詳細な実施の他の例を示している。管状照明デバイスは、EM安定器と共に用いられることができる、及び／又は電源に対して直に用いられることができる。管状照明デバイスは、ピン安全装置を含む。前記デバイスは、（図１において示されているような）細長い軸と、反対側の第１及び第２端部とを持つ管状ハウジング１２を有する。各端部は、２つの突出電気接続ピン１６を有する。
【００６３】
第１ピン安全回路５０は、第１端部の接続ピンに電気的に接続され、LEDドライバ回路５８に電力を供給するために用いられる第１電力供給出力端子５０ａを有する。
【００６４】
第２ピン安全回路５４は、第２端部の接続ピンに電気的に接続され、第２電力供給出力端子５４ａを有する。
【００６５】
LED装置６０は、LEDドライバ回路５８によって駆動される。前記装置は、他のソリッドステート照明技術に適用され得る。
【００６６】
第１ピン安全回路５０は、（接続ピン１及び接続ピン２に接続されて示されている）入力端子、出力端子及び（トライアック５１のゲート端子はトライアック５９のゲート端子に接続されている）ゲート端子を持つ２つのトライアックスイッチ５１、５９を有する。トライアック５１の出力端子は、関連する電力供給出力端子５０ａに接続され、トライアック５９の出力端子は、関連する電力供給出力端子５０ｂに接続される。
【００６７】
トライアックは、ゲートに印加される信号の制御下で閉じたスイッチを形成する。とりわけ、入力端子とゲート端子との間の電圧が、ゲート電流を生成させることによってトライアックをトリガして閉じさせる。
【００６８】
第１ピン安全回路５０のトライアック５１、５９のゲート端子は、抵抗器５２を介して接続ピン２に接続される。第１ピン安全回路５０は、図５において示されている構成要素に加えて、コンデンサ６２を含む。トライアック５１及びトライアック５９のためのトリガ回路は、抵抗器５２を介する低インピーダンス経路と、（電源周波数において）コンデンサ６２を介する高インピーダンス経路とを有する。
【００６９】
第２ピン安全回路５４は、（接続ピン３に接続されて示されている）入力端子、出力端子及び（接続ピン４に接続されて示されている）ゲート端子を持つトライアックスイッチ５５を有する。トライアック５５の出力端子は、関連する電力供給出力端子５４ａに接続される。
【００７０】
トライアックは、ゲートに印加される信号の制御下で閉じたスイッチを形成する。とりわけ、入力端子とゲート端子との間の電圧が、ゲート電流を生成させることによってトライアックをトリガして閉じさせる。
【００７１】
第２ピン安全回路５４のトライアック５５のゲート端子は、抵抗器５６を介して接続ピン４に接続される。
【００７２】
（第２ピン安全回路５４に接続される）接続ピン３及び４は、管状ハウジング１２の一方の端部に接続され、この実施例においては、非電源入力側とみなされる。
【００７３】
（第１ピン安全回路５０に接続される）接続ピン１及び２は、管状ハウジング１２の他方の端部に接続され、この実施例においては、電源入力側とみなされる。
【００７４】
EM安定器が管状照明デバイスの両側に接続されるときには、安定器のフィラメント巻線が、トライアック５１及びトライアック５５の動作をゲート制御するために用いられる加熱電圧、例えば、3.6Vrmsの信号を、電流制限インピーダンス抵抗器５２、５６を介して供給する。フィラメント巻線の両端の電圧は低い（典型的には3.6Vrms）ため、コンデンサ６２における電流は、トライアック５９のゲート端子において必要とされるしきい値電流より低くなるはずであり、このことは、トライアック５９がオンになるのを防止するだろう。従って、ブリッジダイオードD３及びD４は導通しない。好ましい実施例においては、抵抗器５２は、ヒュージスタ（fusistor）のような電流依存性インピーダンス、又は正温度特性（PTC）抵抗器のような温度依存性インピーダンスのいずれかである。
【００７５】
取り付けが、直流電源電圧が電源入力側（接続ピン１及び２）を介して管状照明デバイスに接続されることを可能にする場合には、抵抗器５２における電流は、大幅に減らされるだろう、又はそれどころか止められるだろう。抵抗器５２は、抵抗器、コンデンサ又はインダクタであり得る。好ましい実施例においては、抵抗器５２は、電流依存性ヒュージスタ又は温度依存性PTC抵抗器である。コンデンサ６２を流れる電流が、トライアック５１とトライアック５９との両方をオンにし、次いで、電源電力が、整流器ブリッジＤ１乃至Ｄ４を介してLEDドライバ５８の残りの部分に電力を供給するだろう。電源電力が、誤って、（接続ピン３及び４を介する）非電源入力側に接続される場合には、過電流が発生し、ヒューズ６１が回路を保護するだろう。
【００７６】
抵抗器５６は、抵抗器、コンデンサ又はインダクタであり得る。コンデンサ又はインダクタは、フィラメント電圧から９０°位相シフトさせるだろうという事実のため、抵抗器ではなくコンデンサ又はインダクタを用いることは好ましいかもしれない。これは、フィラメント電圧がゼロを通過しているときに、抵抗器５２、５６における電流がピークに達し、これがトライアックをトリガするのに最適な時間であることから、好ましい。従って、前記インピーダンスとしてコンデンサ又はインダクタを用いることで、前記インピーダンスとして抵抗器を用いるのと比べて、ゲート電流の二乗平均平方根値は減らされることができ、斯くして、損失は減らされ得る。
【００７７】
LED装置６０は、内蔵プリント回路基板上のLEDのストリップであってもよく、又はディスクリート表面実装LEDが存在してもよい。ハウジングは、透明又は部分的に透明な外壁又は外壁部分を有する。ドライバ回路は、典型的には、電流調節出力をLED装置に供給する。
【００７８】
図９は、管状ハウジング１２を有する管状照明デバイスが一方の端部において電源に直に接続される場合の回路図を示している。
【００７９】
図１０は、管状ハウジング１２を有する管状照明デバイスが両端部において電磁又は電子安定器７４に接続される場合の回路図を示している。
【００８０】
当業者は、請求項に記載の発明を実施する際に、図面、明細及び添付の請求項の研究から、開示されている実施例に対する他の変形を、理解し、達成し得る。請求項において、「有する」という用語は、他の要素又はステップを除外せず、単数形表記は、複数の存在を除外しない。単に、特定の手段が、互いに異なる従属請求項において挙げられているという事実は、これらの手段の組み合わせが有利になるように用いられることができないことを示すものではない。請求項における如何なる参照符号も、範囲を限定するものとして解釈されてはならない。
【図１】
2019511102.tif 000003
【図２Ａ】
2019511102.tif 000004
【図２Ｂ】
2019511102.tif 000005
【図２Ｃ】
2019511102.tif 000006
【図３】
2019511102.tif 000007
【図４】
2019511102.tif 000008
【図５】
2019511102.tif 000009
【図６】
2019511102.tif 000010
【図７】
2019511102.tif 000011
【図８】
2019511102.tif 000012
【図９】
2019511102.tif 000013
【図１０】
2019511102.tif 000014
【手続補正書】
【提出日】平成30年10月5日(2018.10.5)
【手続補正１】
【補正対象書類名】特許請求の範囲
【補正対象項目名】全文
【補正方法】変更
【補正の内容】
【特許請求の範囲】
【請求項１】
細長い軸、並びに各端部が２つの突出電気接続ピンを含む反対側の第１及び第２端部を有する管状ハウジングと、
前記第１端部の前記接続ピンに電気的に接続され、第１電力供給出力端子を有する第１ピン安全回路と、
前記第２端部の前記接続ピンに電気的に接続され、第２電力供給出力端子を有する第２ピン安全回路と、
ソリッドステート照明装置と、
前記第１及び第２ピン安全回路からの電力を受け取るために前記第１及び第２電力供給出力端子に接続される、前記ソリッドステート照明装置を駆動するための照明ドライバ回路とを有する管状照明デバイスであって、
前記ピン安全回路が、各々、入力端子、出力端子及びゲート端子を有するトライアックスイッチを含み、前記入力端子が、前記接続ピンのうちの一方に接続され、前記ゲート端子が、前記接続ピンのうちの他方に接続され、前記出力端子が、関連する電力供給出力端子に接続され、前記トライアックが、前記入力端子と前記ゲート端子との間の電圧に応じて閉じたスイッチを形成するよう適合される管状照明デバイス。
【請求項２】
各ピン安全回路の前記トライアックの前記ゲート端子が、抵抗器を介して関連する接続ピンに接続される請求項１に記載のデバイス。
【請求項３】
各ピン安全回路が、前記トライアックの前記入力端子と前記ゲート端子との間にコンデンサ及び／又は抵抗器を更に有する請求項１乃至２のいずれか一項に記載のデバイス。
【請求項４】
前記照明ドライバ回路が、整流器を更に有し、前記整流器が、入力及び出力を有し、前記整流器の前記入力が、前記第１ピン安全回路及び前記第２ピン安全回路のうちの少なくとも１つに接続され、前記整流器の前記出力が、スイッチモード電力コンバータに接続される請求項１乃至３のいずれか一項に記載のデバイス。
【請求項５】
前記照明ドライバ回路が、EMIフィルタを更に有する請求項１乃至４のいずれか一項に記載のデバイス。
【請求項６】
各ピン安全回路の前記トライアックが、四象限トライアックを有する請求項１乃至５のいずれか一項に記載のデバイス。
【請求項７】
前記第１ピン安全回路が、入力端子、出力端子及びゲート端子を有する追加のトライアックスイッチを更に含み、前記追加のトライアックスイッチの前記入力端子が、前記第１端部の前記接続ピンのうちの他方に接続され、前記ゲート端子が、前記第１トライアックスイッチの前記ゲート端子に接続され、前記出力端子が、他の関連する電力供給出力端子に接続され、前記トライアックが、前記入力端子と前記ゲート端子との間の電圧に応じて閉じたスイッチを形成するよう適合される請求項１乃至６のいずれか一項に記載のデバイス。
【請求項８】
前記照明ドライバ回路が、整流器を更に有し、前記整流器が、入力及び出力を有し、前記整流器の前記入力が、前記第１ピン安全回路及び前記第２ピン安全回路のうちの少なくとも１つに接続され、前記整流器の前記出力が、スイッチモード電力コンバータに接続され、前記照明ドライバ回路が、整流器Ｄ１及び整流器Ｄ２の直列接続に並列に結合される他の整流器を有する請求項７に記載のデバイス。
【請求項９】
前記抵抗器が、ヒュージスタを有する請求項８に記載のデバイス。
【請求項１０】
前記抵抗器が、PTC抵抗器を有する請求項８に記載のデバイス。
【請求項１１】
前記ソリッドステート照明装置が、LED装置を有し、前記照明ドライバ回路が、LEDドライバを有する請求項１乃至１０のいずれか一項に記載のデバイス。
【請求項１２】
蛍光灯電子安定器、蛍光灯電磁安定器、又は安定器を備えない照明器具と、
前記蛍光灯安定器に接続される請求項１乃至６のいずれか一項に記載のデバイスとを有する照明器具。
【請求項１３】
前記蛍光灯安定器が、フィラメント加熱を備える電子安定器を有する請求項１２に記載の照明器具。
【国際調査報告】
2019511102.tif 000015
2019511102.tif 000016
2019511102.tif 000017